(57)【要約】  交流電動機の入力電圧を検出する電圧検出器が不要で、制御装置の異常でトリップせず、交流電動機をスムーズに始動することができるようにする。  電力変換制御装置の交流電動機始動方法において、始動開始時に交流電動機の速度を推定して交流電動機を始動する際、直流母線電圧値が所定値以上になると出力周波数を上昇させたり、直流母線電圧あるいは前記一次電流が所定値以上になると始動処理を中止し、所定の始動処理を最初から実行させたりするように処理する。
2008087956.tif 000002
【特許請求の範囲】
【請求項１】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、
前記直流母線電圧値が所定値以上になると出力周波数を上昇させることを特徴とする電力変換制御装置の交流電動機始動方法。
【請求項２】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、
前記直流母線電圧が所定値以上になると始動処理を中止し、
所定の始動処理を最初から実行することを特徴とする電力変換制御装置の交流電動機始動方法。
【請求項３】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、
前記一次電流が所定値以上になると始動処理を中止し、
所定の始動処理を最初から実行することを特徴とする電力変換制御装置の交流電動機始動方法。
【請求項４】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、
前記直流母線電圧あるいは前記一次電流が所定値以上になると始動処理を中止し、
所定の始動処理を最初から実行することを特徴とする電力変換制御装置の交流電動機始動方法。
【請求項５】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に検出電流から前記交流電動機の速度を推定する速度推定部とを備えた、始動開始時に前記交流電動機の速度を推定して前記交流電動機を始動する電力変換制御装置において、
始動時に前記直流母線電圧が所定値以上になると出力周波数を上昇させる周波数調整部を備えたことを特徴とする電力変換制御装置。
【請求項６】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に検出電流から前記交流電動機の速度を推定する速度推定部とを備えた、始動開始時に前記交流電動機の速度を推定して前記交流電動機を始動する電力変換制御装置において、
始動時に前記直流母線電圧が所定値以上になると始動処理を中止させ、所定の始動処理を最初から実行させる速度推定処理部を備えたことを特徴とする電力変換制御装置。
【請求項７】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に検出電流から前記交流電動機の速度を推定する速度推定部とを備えた、始動開始時に前記交流電動機の速度を推定して前記交流電動機を始動する電力変換制御装置において、
始動時に前記一次電流が所定値以上になると始動処理を中止させ、所定の始動処理を最初から実行させる速度推定処理部を備えたことを特徴とする電力変換制御装置。
【請求項８】
駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に前記交流電動機の速度を推定する速度推定部とを備えた、始動開始時に前記交流電動機の速度を推定して前記交流電動機を始動する電力変換制御装置において、
始動時に前記直流母線電圧あるいは前記一次電流が所定値以上になると始動処理を中止させ、所定の始動処理を最初から実行させる速度推定処理部を備えたことを特徴とする電力変換制御装置。
【発明の詳細な説明】
【技術分野】
【０００１】
本発明は、電力変換制御装置及びその交流電動機始動方法に係わり、特に交流電動機を推定した速度での始動に関する。
【背景技術】
【０００２】
従来の交流電動機の制御装置あるいはその始動方法は、交流電動機の始動時に交流電動機に流れる電流が設定した電流レベル以上の状態で所定時間継続した場合には、回転方向あるいは速度の推定値を間違えたと判断して、再度直流電流あるいは直流電圧を印加して、交流電動機の回転方向及び速度を推定し直すようにすることが開示されている（例えば特許文献１参照）。
また、インバータが停止状態から始動する際において、電動機の入力電圧を検出し、その周波数及び位相に合うようにインバータの出力周波数及び位相を合わせるようにし、その際電動機の逆起電圧の過度現象により電流値が電流制限レベルを越えると、インバータを一定期間ゲートブロックするなどして電流抑制し、過度現象から定常運転状態に速やかな移行を可能にした電力変換装置が開示されている（例えば特許文献２参照）。
【特許文献１】特開２００４−０４０９８６号
【特許文献２】特開２００５−２６１０５２号
【発明の開示】
【発明が解決しようとする課題】
【０００３】
従来の交流電動機の制御装置あるいはその始動方法は、速度推定値の誤検出を判断するのに所定時間を必要とするので、再度速度推定をやり直す前に、過電流、過電圧などの制御装置の異常でトリップしてしまうという問題があった。
また、交流電動機の入力電圧を検出する電圧検出器を有しない電力変換装置には適用できないという問題もあった。
本発明はこのような問題点を鑑みてなされたものであり、交流電動機の入力電圧を検出する電圧検出器が不要で、制御装置の異常でトリップせず、交流電動機をスムーズに始動することができる電力変換制御装置及びその交流電動機始動方法を提供することを目的とする。
【課題を解決するための手段】
【０００４】
上記問題を解決するため、本発明は、次のようにしたのである。
請求項１に記載の発明は、駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、前記直流母線電圧値が所定値以上になると出力周波数を上昇させるようにし、また、請求項２に記載の発明は、前記直流母線電圧が所定値以上になると始動処理を中止し、所定の始動処理を最初から実行する手順をとり、また、請求項３に記載の発明は、前記一次電流が所定値以上になると始動処理を中止し、所定の始動処理を最初から実行する手順をとったのである。【０００５】
また、請求項４に記載の発明は、駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部とを備え、始動開始時に前記交流電動機の速度を推定して前記交流電動機を始動する電力変換制御装置の交流電動機始動方法において、前記直流母線電圧あるいは前記一次電流が所定値以上になると始動処理を中止し、所定の始動処理を最初から実行する手順をとったのである。【０００６】
上記問題を解決するため、本発明は、次のように構成したのである。
請求項５に記載の発明は、駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に検出電流から前記交流電動機の速度を推定する速度推定部とを備えた、始動開始時に前記交流電動機の速度を推定して前記交流電動機を始動する電力変換制御装置において、始動時に前記直流母線電圧が所定値以上になると出力周波数を上昇させる周波数調整部を備え、また、請求項６に記載の発明は、始動時に前記直流母線電圧が所定値以上になると始動処理を中止させ、所定の始動処理を最初から実行させる速度推定処理部を備え、  また、請求項７に記載の発明は、始動時に前記一次電流が所定値以上になると始動処理を中止させ、所定の始動処理を最初から実行させる速度推定処理部を備えたことを特徴とするものである。【０００７】
また、請求項８に記載の発明は、駆動中の交流電動機の一次電流を検出する電流検出部と、前記交流電動機への一次電圧指令を演算する出力電圧指令演算部と、前記検出した一次電流を励磁電流分とトルク電流分に変換する座標変換部と、直流母線電圧を検出する直流電圧検出部と、始動時に前記交流電動機の速度を推定する速度推定部とを備えた、始動開始時に前記交流電動機の速度を推定して前記交流電動機を始動する電力変換制御装置において、始動時に前記直流母線電圧あるいは前記一次電流が所定値以上になると始動処理を中止させ、所定の始動処理を最初から実行させる速度推定処理部を備えたことを特徴とするものである。
【発明の効果】
【０００８】
制御装置が異常でトリップすることがないので信頼性が向上し、スムーズに交流電動機を始動することができるので安定性が増し、始動開始時の速度推定値がたまに大きな誤差を有することがある制御装置であっても、交流電動機の始動を確実に行えるようになるので、電流検出の精度、変換時間が劣る安価な電流検出器を用いることが可能となり低コストとなる。
【図面の簡単な説明】
【０００９】
【図１】本発明における第１実施例を適用する交流電動機の電力変換制御装置１００のブロック図
【図２】本発明における第1実施例のフローチャート
【図３】本発明における第２実施例のフローチャート
【図４】本発明における第３実施例のフローチャート
【図５】本発明における第４実施例を適用する交流電動機の電力変換制御装置１００’のブロック図
【図６】本発明における第４実施例のフローチャート
【符号の説明】
【００１０】
１  電力変換部
２  交流電動機
３  電流検出部
４  座標変換部
５  トルク電流制御部
６  励磁電流制御部
７  位相演算部
８  Ｖ／ｆ変換部
９、１１  加算部
１０  出力電圧演算部
１２  ＰＷＭ演算部
１３  周波数調整部
１４  直流平滑部
１５  電圧検出部
１６  速度推定部
１７、１７’、１８、１９、２０、２１  スイッチ
３０、３０’  速度推定処理部
１００、１００’  電力変換制御装置
【発明を実施するための最良の形態】
【００１１】
以下、本発明の実施の形態について図を参照して説明する。
【実施例１】
【００１２】
図１は、本発明を適用する電力変換制御装置のブロック図である。図において、電力変換制御装置１００は以下のように構成される。１は直流電圧を任意周波数、任意電圧の交流電圧に変換し、負荷に供給する電力変換部、２は電力変換部の負荷である交流電動機、３は交流電動機２に流れる電流を検出する電流検出部、４は電流検出部３により検出された電流をトルク電流検出値iqfbと励磁電流検出値idfbに変換する座標変換部、５は図示していないトルク電流指令器より与えられたトルク電流指令値iqrefとトルク電流検出値iqfbとが一致するように第１のｑ軸電圧指令値Vqref1を演算するトルク電流制御部、６は図示していない励磁電流指令器より与えられた励磁電流指令値idrefと前記励磁電流検出値idfbとが一致するようにｄ軸電圧指令値Vdrefを演算する励磁電流制御部、７は図示していない周波数指令器から与えられた周波数f1を積分して位相θを演算する位相演算部、８は与えられた周波数f1から交流電動機２の誘起電圧指令erefを演算するＶ／ｆ変換部、９はトルク電流制御部５の出力である第１のｑ軸電圧指令値Vqref1と誘起電圧指令erefを加算し、第２のｑ軸電圧指令値Vqrefを演算する加算部、１０は第２のｑ軸電圧指令値Vqrefとｄ軸電圧指令値Vdrefとから出力電圧指令V1refとその電圧位相θVをそれぞれ（１）、（２）式のように演算する出力電圧演算部である。【００１３】
V1ref＝√（Vqref2＋Vdref2）                    ・・・（１）
θV＝tan-1（Vqref／Vdref）                    ・・・（２）【００１４】
１１は位相θと電圧位相θVを加算し、位相指令θrefを出力する加算部、１２は出力電圧指令V1ref及び位相指令θrefをから、電力変換部１のスイッチングパターンを決定するＰＷＭ演算部、１３はフリーラン状態の交流電動機２を始動する場合に、電力変換部１から出力される周波数を調整することによりスムーズに始動できるようにする周波数調整部、１４は電力変換部１の直流電圧VDCを平滑する直流平滑部、１５は直流平滑部１４の直流電圧VDCを検出する電圧検出部、１７、１８、１９はそれぞれ通常運転動作と始動動作を切替えるスイッチである。【００１５】
３０は、３０を除く電力変換制御装置１００に対し後述する交流電動機２の始動方法の処理を実施するために交流電動機２に所定の指令信号を出力したり、制御状態信号を読み込み、交流電動機２の速度推定を行い、推定した速度を周波数調整部１３へ設定したり、スイッチ１７、１８、１９を切替えたり、始動処理を中止して再度始動処理をやり直す指令を出力する速度推定処理部である。【００１６】
なお、電力変換制御装置１００は、電圧検出部１５で検出された直流電圧検出値VDCが予め定められた保護レベルになると制御装置が過電圧異常でトリップするようになっている。同様に電流検出部３で検出された電流が予め定められた保護レベルになると制御装置が過電流異常でトリップするようになっている。【００１７】
図２は、図１の電力変換制御装置１００に適用した交流電動機の始動方法の処理手順を示すフローチャートである。この図を用いて本発明の方法を順を追って説明する。なお、この処理は速度推定処理部３０でコントロールしている。【００１８】
はじめにステップ１で、電力変換制御装置１００の運転開始に際し、励磁電流指令値に所定の励磁電流指令値idrefを設定して、所定時間、交流電動機２に直流電流を供給する。
次にステップ２で、交流電動機２に流れる電流を検出し、トルク電流検出値iqfbを求め、トルク電流検出値iqfbの信号から交流電動機２の回転方向と周波数を計測して、速度及び回転方向を推定する。【００１９】
次にステップ３で、推定した回転方向と速度に相当する周波数を周波数調整部１３に設定する。
次にステップ４で、スイッチ１７、１８、１９をＡ側からＢ側に変更し、通常運転動作から始動動作に切替える。これにより、周波数調整部１３から出力される信号を出力周波数f1に、０をトルク電流指令iqrefに、Ｖ／ｆ変換部８から出力される信号を励磁電流指令idrefに設定する。
Ｖ／ｆ変換部８は、二次回路時定数に応じた時間で漸増するように誘起電圧指令erefを演算し出力すると共に、予め設定された交流電動機２の基準となる定格電圧／定格周波数周波数と出力周波数f1から演算される基準誘起電圧e0と前記交流電動機の基準となる定格電圧／定格周波数周波数で運転時の励磁電流id0から励磁電流指令idrefを（３）式のように演算する。【００２０】
idref＝eref／e0・id0                          ・・・（３）【００２１】
周波数調整部１３は、トルク電流検出値iqfbが０に近づくようにトルク電流検出値iqfbが正であれば出力周波数f1を減らし、負であれば出力周波数f1を増やすように調整する。【００２２】
次にステップ５で、誘起電圧指令erefが基準誘起電圧e0と一致すると、トルク電流検出値iqfbが所定値以下かどうかを判断する。
トルク電流検出値iqfbが所定値以下になると、正常に推定できたと判断してステップ６へ、トルク電流検出値iqfbが所定値以下とならないときは、ステップ７に進む。【００２３】
次にステップ６で、スイッチ１７、１８、１９をＢ側からＡ側に変更し、通常制御に移行する。
次にステップ７で、電圧検出部１５で検出した直流電圧検出値VDCが所定値以上かどうかを判断する。直流電圧検出値VDCが所定値以上であればステップ８へ、所定値未満であれば、ステップ９に進む。【００２４】
次にステップ８で、交流電動機２の周波数を実際よりも低く推定したと判断して、加算する周波数を演算し、これを用いて周波数調整部１３で出力する周波数を調整してステップ４に戻る。
次にステップ９で、交流電動機２に流れる電流が所定値以上の状態が所定時間継続されているかどうかを判断する。交流電動機２に流れる電流が所定値未満、あるいは所定時間経過前の場合は、周波数調整部１３で出力する周波数を調整して、ステップ４に戻る。
交流電動機２に流れる電流が所定値以上で所定時間継続した場合は、推定速度が許容される値より大きいか、あるいは回転方向を間違えたと判断してステップ１０へ進む。【００２５】
次にステップ１０で、始動処理を中止してステップ１に戻ってやり直す。
このようにして、直流電圧検出値VDCとトルク電流検出値ｉqfbに応じて出力する周波数を交流電動機の速度に一致するように調整し、調整不可と判断される場合はやり直すので、交流電動機をスムーズに始動することができる。
【実施例２】
【００２６】
図３は、図１の電力変換制御装置１００に適用した交流電動機の始動方法の、第２の処理手順を示すフローチャートである。この図を用いて本発明の方法を、順を追って説明する。
なお、ステップ１からステップ６は、実施例１と全く同一であり、実施例１におけるステップ７に対応するステップは実施例２ではステップ７’であるので、ここではステップ１からステップ６の説明を省略し、ステップ７’から説明する。また、ステップ８は欠番である。【００２７】
ステップ７’で、電圧検出部１５で検出した直流電圧検出値VDCが所定値以上か、または過電圧保護動作レベルかどうかを判断する。直流電圧検出値VDCが所定値以上か過電圧保護動作レベルであればステップ１０に進み、始動を中止して、ステップ１に戻って始動処理をやり直す。直流電圧検出値VDCが所定値未満あるいは過電圧異常が発生していなければ、ステップ９に進む。
次にステップ９で、交流電動機２に流れる電流が所定値以上の状態が所定時間継続されているかどうかを判断する。交流電動機２に流れる電流が所定値未満、あるいは所定時間経過前の場合は、周波数調整部１３で出力する周波数を調整して、ステップ４に戻る。
交流電動機２に流れる電流が所定値以上で所定時間継続した場合は、推定速度が許容される値より大きいか、あるいは回転方向を間違えたと判断してステップ１０へ進む。【００２８】
次にステップ１０で、始動処理を中止してステップ１に戻ってやり直す。
このようにして、直流電圧検出値VDCが所定値以上となるか、過電圧保護動作レベルになると始動処理を中止し、再度最初から始動処理をやり直すので、交流電動機をスムーズに始動することができる。
【実施例３】
【００２９】
図４は、図１の電力変換制御装置１００に適用した交流電動機の始動方法の、第３の処理手順を示すフローチャートである。この図を用いて本発明の方法を、順を追って説明する。
なお、ステップ１からステップ７’は、実施例２と全く同一であるのでその説明を省略し、ステップ９’から説明する。また、ステップ８は実施例２と同様に欠番である。【００３０】
ステップ９’で、交流電動機２に流れる電流が所定値以上でかつ所定時間継続されているかどうか、あるいは電流制限動作レベル、過電流保護動作レベルと判断される時は、推定速度が許容される値より大きいか、あるいは回転方向を間違えたと判断してステップ１０へ進む。そうでない場合はステップ４に戻る。
次にステップ１０で、始動処理を中止してステップ１に戻ってやり直す。
このようにして、直流電圧検出値VDCが所定値以上であったり、過電圧保護動作レベルであったり、電流が所定値以上の状態が所定時間経過したり、電流制限動作レベル、過電流保護動作レベルであっても、始動処理を中止し、再度最初から始動処理をやり直すので、交流電動機をスムーズに始動することができる。
【実施例４】
【００３１】
図５は、本発明の第４の実施形態を適用した電力変換制御装置のブロック図である。図において、第１実施例で示したブロック図（図１）に対して、電力変換制御装置１００を１００’に変更し、速度推定部１６、スイッチ２０、２１を追加し、スイッチ１７は１７’に、速度推定処理部は３０から３０’に変更している。図１と同一構成には、同一符号を付して重複する説明は省略する。【００３２】
速度推定部１６は出力電圧演算部１０で演算される電圧位相θVを微分することにより、交流電動機２の周波数及び回転方向を推定し、スイッチ１７’２０，２１はそれぞれ通常運転動作と速度推定動作を切替える。スイッチ１７’は通常運転動作と始動動作を切替える役目も兼ねている。速度推定処理部３０’は、主として速度推定処理部３０から交流電動機２の速度推定の機能が削除され、後述するコントロールする交流電動機２の始動方法の処理が変更されている。【００３３】
図６は、図５の電力変換制御装置１００’において、交流電動機の始動方法の、第４の処理手順を示すフローチャートである。この図を用いて本発明の方法を、順を追って説明する。なお、この処理は速度推定処理部３０’でコントロールしている。【００３４】
はじめにステップ１１で、スイッチ１７’、２０、２１をＡ側からＢ側に変更し、通常運転動作から速度推定動作に切替える。但し、スイッチ１８及びスイッチ１９はＡ側のままとする。これにより、０をトルク電流指令iqref、励磁電流指令idref及び周波数f1に設定する。その後、交流電動機２を電流制御するように電力変換制御装置１００’を運転開始する。
次にステップ１２で、所定時間経過したかどうか判断し、経過していないとステップ１３に、経過しているとステップ１５に進む。【００３５】
次にステップ１３で、検出された電流が電流制限動作レベル、あるいは過電流保護動作レベルか、あるいは電圧検出部１５で検出した直流電圧検出値VDCが過電圧保護動作レベルかどうか判断し、動作レベル以下の場合はステップ１２に戻り、動作レベルに達していればステップ１４に進む。
次にステップ１４で、始動を中止し、ステップ１１に戻る。【００３６】
次にステップ１５で、速度推定部１６は出力電圧演算部１０で演算された電圧位相θVを微分して、フリーラン中の前記交流電動機の周波数及び回転方向を推定し、スイッチ１７’、２０、２１をＢ側からＡ側に変更し、速度推定動作を終わり、ステップ１６に進む。
次にステップ１６で、推定した回転方向及び速度推定値に相当する周波数を周波数調整部１３に設定して、ステップ１７に進む。【００３７】
次にステップ１７で、スイッチ２０、２１は通常運転動作のＡ側を保持し、スイッチ１７’、１８、１９はＡ側からＢ側に変更され、通常運転動作から始動動作に切替える。これにより、周波数調整部１３から出力される信号を出力周波数f1に、０をトルク電流指令iqrefに、Ｖ／ｆ変換部８から出力される信号を励磁電流指令idrefに設定する。
Ｖ／ｆ変換部８は、二次回路時定数に応じた時間で漸増するように誘起電圧指令erefを演算し出力すると共に、予め設定された交流電動機２の基準となる定格電圧／定格周波数周波数と出力周波数f1から演算される基準誘起電圧e0と交流電動機２の基準となる定格電圧／定格周波数周波数で運転時の励磁電流id0から励磁電流指令idrefを上記（３）式のように演算する。
次にステップ１８で、電流が電流制限動作レベル、あるいは過電流保護動作レベルか、あるいは電圧検出部１５で検出した直流電圧検出値VDCが過電圧保護動作レベルかどうか判断し、動作レベル以下の場合は、ステップ１９に進む。
電流が電流制限動作レベル、あるいは過電流保護動作レベルか、あるいは電圧検出部１５で検出した直流電圧検出値VDCが過電圧保護動作レベルに達した場合は、ステップ１４に進み、始動を中止し、ステップ１１に戻る。【００３８】
次にステップ１９で、誘起電圧指令erefが基準誘起電圧e0と一致すると、トルク電流検出値iqfbが所定値以下かどうか判断する。
トルク電流検出値iqfbが所定値以下になると、正常推定できたと判断して、ステップ２０に進む。所定値以下にならないときは、ステップ１７に戻る。
次にステップ２０で、スイッチ１７’、１８、１９がＡ側に切替え、通常制御に移行する。
このようにして、電流が電流制限動作レベル、あるいは過電流保護動作レベルか、あるいは電圧検出部１５で検出した直流電圧検出値VDCが過電圧保護動作レベルに達した場合であっても、始動処理を中止し、再度最初から始動処理をやり直すので、交流電動機をスムーズに始動することができる。【００３９】
以上の説明では、始動時に行う速度推定方法を、始動時に交流電動機２に直流電流を印加し、その際の検出電流から交流電動機２の速度を推定する方法と、始動時に交流電動機２の励磁電流分及びトルク電流分が所定値になるように電流制御し、その際に出力される電圧指令信号に基づいて交流電動機２の速度を推定する方法を用いて説明したが、上記の印加する信号が直流電圧であってもよいし、交流電動機２の回転角周波数に等しい回転磁界と誘起電圧を発生させたり、擬似雑音信号を制御信号に重畳して交流電動機２の回転角周波数に等しい回転磁界と誘起電圧を発生させたり、交流電動機２の誘起電圧を測定して速度を推定したり、あるいは交流電動機２に流れる電流をポジティブフィードバックして交流電動機の速度を推定する方法であっても、本発明を実施することができ、同様の効果を得ることができる。
【産業上の利用可能性】
【００４０】
本発明は、交流電動機を推定した速度で始動する電動機駆動用のインバータ制御装置とその運転方法に適用可能である。
【図１】
2008087956.tif 000003
【図２】
2008087956.tif 000004
【図３】
2008087956.tif 000005
【図４】
2008087956.tif 000006
【図５】
2008087956.tif 000007
【図６】
2008087956.tif 000008
【国際調査報告】
2008087956.tif 000009
2008087956.tif 000010
2008087956.tif 000011
2008087956.tif 000012